(57)【要約】【課題】生体に光が照射される範囲内において照射ムラを抑制する。【解決手段】生体に光を照射する第１発光部を含む第１照明ユニットと、前記生体に光を照射する第２発光部を含む第２照明ユニットと、前記生体の内部で反射して受光経路を通過した前記光を受光する受光部とを具備し、前記第１照明ユニットの構造と前記第２照明ユニットの構造とは、前記受光経路の中心軸に関して回転対称ではない光検出装置。【選択図】図３
2019055007.tif 000002
【特許請求の範囲】
【請求項１】
生体に光を照射する第１発光部を含む第１照明ユニットと、
前記生体に光を照射する第２発光部を含む第２照明ユニットと、
前記生体の内部で反射して受光経路を通過した前記光を受光する受光部とを具備し、
前記第１照明ユニットの構造と前記第２照明ユニットの構造とは、前記受光経路の中心軸に関して回転対称ではない
光検出装置。
【請求項２】
前記第１発光部および前記第２発光部の各々はフィラメントを具備し、
前記第１発光部のフィラメントの前記中心軸に対する方向と前記第２発光部のフィラメントの前記中心軸に対する方向とは、互いに異なる
請求項１の光検出装置。
【請求項３】
前記第１発光部の位置と前記第２発光部の位置とは、前記中心軸に関して回転対称ではない
請求項１または請求項２の光検出装置。
【請求項４】
前記第１照明ユニットは、前記第１発光部からの出射光を前記生体側に反射する反射面を有する第１反射体を具備し、
前記第２照明ユニットは、前記第２発光部からの出射光を前記生体側に反射する反射面を有する第２反射体を具備し、
前記第１反射体の反射面の形状と前記第２反射体の反射面の形状とは、互いに異なる
請求項１から請求項３の何れかの光検出装置。
【請求項５】
前記第１照明ユニットは、前記第１発光部からの出射光を前記生体側に反射する放物面を有する第１反射体を具備し、
前記第２照明ユニットは、前記第２発光部からの出射光を前記生体側に反射する放物面を有する第２反射体を具備し、
前記第１反射体の放物面の焦点に対する第１発光部の位置と前記第２反射体の放物面の焦点に対する第２発光部の位置とは、互いに異なる
請求項１から請求項３の何れかの光検出装置。
【請求項６】
前記第１照明ユニットは、前記第１発光部からの出射光を前記生体に導く第１光学系を含み、
前記第２照明ユニットは、前記第２発光部からの出射光を前記生体に導く第２光学系を含み、
前記第１光学系の構造と前記第２光学系の構造とは、前記中心軸に関して回転対称ではない
請求項１から請求項５の何れかの光検出装置。
【請求項７】
前記第１光学系は、前記第１発光部からの出射光が通過する第１レンズを含み、
前記第２光学系は、前記第２発光部からの出射光が通過する第２レンズを含み、
前記第１レンズの形状と前記第２レンズの形状とは、互いに異なる
請求項６の光検出装置。
【請求項８】
請求項１から請求項７の何れかの光検出装置と、
前記光検出装置による光の検出結果から生体情報を特定する特定部と
を具備する生体解析装置。
【発明の詳細な説明】
【技術分野】
【０００１】
本発明は、被験者の生体情報を測定するための技術に関する。
【背景技術】
【０００２】
被験者の生体情報を測定するための技術が従来から提案されている。例えば特許文献１には、使用者の脈波波形を取得する生体情報計測センサーが開示されている。具体的には、発光部から使用者に光を照射し、使用者の血管で反射した光を受光部が受光することで脈波波形のデータが得られる。
【先行技術文献】
【特許文献】
【０００３】
【特許文献１】特開２０１７−６１８３号公報
【発明の概要】
【発明が解決しようとする課題】
【０００４】
生体情報を高精度に測定するためには、生体の表面に均一に光を照射することが望ましい。以上の事情を考慮して、本発明は、生体に光が照射される範囲内において照射ムラを抑制することを目的とする。
【課題を解決するための手段】
【０００５】
以上の課題を解決するために、本発明の好適な態様に係る光検出装置は、生体に光を照射する第１発光部を含む第１照明ユニットと、生体に光を照射する第２発光部を含む第２照明ユニットと、生体の内部で反射して受光経路を通過した光を受光する受光部とを具備し、第１照明ユニットの構造と第２照明ユニットの構造とは、受光経路の中心軸に関して回転対称ではない。以上の態様では、第１照明ユニットと第２照明ユニットの構造が中心軸に関して回転対称ではないから、第１照明ユニットと第２照明ユニットの構造が中心軸に関して回転対称である構成と比較して、生体に光が照射される範囲内において照射ムラを抑制することができる。
【０００６】
本発明の好適な態様において、第１発光部および第２発光部の各々はフィラメントを具備し、第１発光部のフィラメントの中心軸に対する方向と第２発光部のフィラメントの中心軸に対する方向とは、互いに異なる。以上の態様では、第１発光部のフィラメントと第２発光部のフィラメントとの中心軸に対する方向が異なるから、第１発光部のフィラメントと第２発光部のフィラメントとの中心軸に対する方向が同じである構成と比較して、照射ムラを抑制することができる。
【０００７】
本発明の好適な態様において、第１発光部の位置と第２発光部の位置とは、中心軸に関して回転対称ではない。以上の態様では、第１発光部と第２発光部との位置が中心軸に関して回転対称ではないから、第１発光部と第２発光部との位置が中心軸に関して回転対称である構成と比較して、照射ムラを抑制することができる。
【０００８】
本発明の好適な態様において、第１照明ユニットは、第１発光部からの出射光を生体側に反射する反射面を有する第１反射体を具備し、第２照明ユニットは、第２発光部からの出射光を生体側に反射する反射面を有する第２反射体を具備し、第１反射体の反射面の形状と第２反射体の反射面の形状とは、互いに異なる。以上の態様では、第１反射体の反射面の形状と第２反射体の反射面の形状とが互いに異なるから、第１反射体の反射面の形状と第２反射体の反射面の形状とが同じである構成と比較して、照射ムラを抑制することができる。
【０００９】
本発明の好適な態様において、第１照明ユニットは、第１発光部からの出射光を生体側に反射する放物面を有する第１反射体を具備し、第２照明ユニットは、第２発光部からの出射光を生体側に反射する放物面を有する第２反射体を具備し、第１反射体の放物面の焦点に対する第１発光部の位置と第２反射体の放物面の焦点に対する第２発光部の位置とは、互いに異なる。以上の態様では、第１反射体の放物面の焦点に対する第１発光部の位置と第２反射体の放物面の焦点に対する第２発光部の位置が異なるので、第１反射体の放物面の焦点に対する第１発光部の位置と第２反射体の放物面の焦点に対する第２発光部の位置が同じである構成と比較して、照射ムラを抑制することができる。
【００１０】
本発明の好適な態様において、第１照明ユニットは、第１発光部からの出射光を生体に導く第１光学系を含み、第２照明ユニットは、第２発光部からの出射光を生体に導く第２光学系を含み、第１光学系の構造と第２光学系の構造とは、中心軸に関して回転対称ではない。以上の態様では、第１光学系と第２光学系との構造が中心軸に関して回転対称ではないから、第１光学系と第２光学系との構造が中心軸に関して回転対称である構成と比較して、照射ムラを抑制することができる。
【００１１】
本発明の好適な態様において、第１光学系は、第１発光部からの出射光が通過する第１レンズを含み、第２光学系は、第２発光部からの出射光が通過する第２レンズを含み、第１レンズの形状と第２レンズの形状とは、互いに異なる。以上の態様では、第１光学系のレンズと第２光学系のレンズとは形状は異なるから、第１光学系のレンズと第２光学系のレンズとの形状が同じである構成と比較して、照射ムラを抑制することができる。
【００１２】
本発明の好適な態様に係る生体解析装置は、前述の各態様の光検出装置と、光検出装置による光の検出結果から生体情報を特定する特定部とを具備する。前述の各態様の光検出装置によれば照射ムラを抑制することができるから、高精度に生体情報を特定することができる。
【図面の簡単な説明】
【００１３】
【図１】本発明の第１実施形態に係る生体解析装置の構成図である。
【図２】光検出装置の平面図である。
【図３】図２おけるIII−III線の断面図である。
【図４】発光部のフィラメントの模式図である。
【図５】光検出装置からの出射光の生体表面における強度分布の模式図である。
【図６】第１実施形態の別の態様における光検出装置からの出射光の生体表面における強度分布の模式図である。
【図７】本発明の第２実施形態に係る光検出装置の平面図である。
【図８】光検出装置からの出射光の生体表面における強度分布の模式図である。
【図９】第３実施形態に係る光検出装置の断面図である。
【図１０】第１発光部からの出射光の説明図である。
【図１１】第２発光部からの出射光の説明図である。
【発明を実施するための形態】
【００１４】
＜第１実施形態＞
図１は、本発明の第１実施形態に係る生体解析装置１の構成図である。生体解析装置１は、被験者の生体情報を非侵襲的に測定する測定機器である。例えば被験者の血糖値（グルコース濃度）が生体情報として例示される。なお、生体情報は血糖値に限定されない。
【００１５】
生体解析装置１は、光検出装置２０と特定部７０と表示部９０とを具備する。光検出装置２０は、被験者の身体のうち測定対象となる部位（以下「測定部位」という）Ｍの状態に応じた検出信号を生成する光学センサーモジュールである。測定部位Ｍ（例えば手首または上腕）の表面に生体解析装置１が装着される。
【００１６】
図２は、光検出装置２０の平面図であり、図３は、図２におけるIII−III線の断面図である。図３に例示される通り、第１実施形態の光検出装置２０は、筐体２１と第１照射ユニット２３と第２照射ユニット２４と受光ユニット２５と保護部２７とを具備する。
【００１７】
筐体２１は、中空の構造体であり、第１照射ユニット２３と第２照射ユニット２４と受光ユニット２５とを収容する。具体的には、筐体２１は、測定部位Ｍの表面に対向する面（以下「対向面」という）Ｈと、照射経路１１と受光経路１３とを具備する。対向面Ｈは、血糖値の測定時に測定部位Ｍの表面に接触する。受光経路１３は、対向面Ｈから略垂直に受光ユニット２５に向って形成された断面円形の空間である。受光経路１３において対向面Ｈとは反対側の端部に受光ユニット２５が位置する。照射経路１１は、照射ユニット２３から出射された光が通過する断面円形の空間であり、受光経路１３から分岐して照射ユニット２３に向うように形成される。受光経路１３の中心軸Ｃは、対向面Ｈに対して垂直である。照射経路１１の軸線は、対向面Ｈに対して傾斜する。対向面Ｈには、受光経路１３を覆うように光透過性の保護部２７（例えばガラス板）が設置される。中心軸Ｃは、保護部２７により覆われた開口の中心を通り、測定部位Ｍの表面または対向面Ｈに垂直な直線とも換言され得る。
【００１８】
各照射ユニット（２３，２４）は、生体（測定部位Ｍ）に光を照射する。図２に例示される通り、第１照射ユニット２３と第２照射ユニット２４とは、受光経路１３の中心軸Ｃを挟んで反対側に位置する。第１照射ユニット２３は、第１発光部３１と第１反射体３３と第１レンズ３５とを具備し、第２照射ユニット２４は、第２発光部４１と第２反射体４３と第２レンズ４５とを具備する。第１発光部３１と第２発光部４１とは、生体に光を照射する。第１発光部３１は、フィラメントＦ1を具備する白熱電球であり、第２発光部４１は、フィラメントＦ2を具備する白熱電球である。第１実施形態では、フィラメントＦ1とフィラメントＦ2とは形状が同じである。図４は、フィラメントＦ（Ｆ1，Ｆ2）の模式図である。フィラメントＦは、高融点の金属（例えばタングステン）で形成された線状の部材であり、電流の供給により高温となることで発光する。図４に例示される通り、フィラメントＦは、抵抗体がコイル状に巻回されたコイル部ＦCと、コイル部ＦCを支持する直線状の支持部ＦSとを含む。支持部ＦSの端部はコイル部ＦCの端部と連結する。例えばＣ-２Ｒ型やＣ-６型のフィラメントＦが好適である。
【００１９】
図３に示すように、第１反射体３３は、第１発光部３１から出射された光を反射する筒状の構造体であり、第２反射体４３は、第２発光部４１から出射された光を反射する筒状の構造体である。各反射体（３３，４３）の一方の端部には発光部（３１，４１）が設置され、他方の端部側にはレンズ（３５，４５）が位置する。発光部から出射された光は、反射体の内面（反射面）で反射することでレンズに誘導される。
【００２０】
第１レンズ３５は、第１発光部３１から出射された光を通過させ、第２レンズ４５は、第２発光部４１から出射された光を通過させる。発光部（３１，４１）から出射された光を平行光にする凸レンズがレンズとして好適に利用される。第１反射体３３と第１レンズ３５とは、第１発光部３１からの出射光を生体に導く第１光学系Ｋ1として機能し、第２反射体４３と第２レンズ４５とは、第２発光部４１からの出射光を生体に導く第２光学系Ｋ2として機能する。レンズ（３５，４５）により集光された光は、照射経路１１と保護部２７とを通過して、測定部位Ｍの表面に照射される。測定部位Ｍの表面に入射した光は、測定部位Ｍの内部（例えば血管）で拡散反射したうえ光検出装置２０側に出射する。測定部位Ｍから出射した光は、保護部２７と受光経路１３とを通過して、受光ユニット２５に到達する。すなわち、照射ユニット（２３，２４）と受光ユニット２５とで反射型の光学センサーモジュールとして機能する。ただし、照射ユニット（２３，２４）と受光ユニット２５とが測定部位Ｍを挟んで反対側に位置する透過型の光学センサーを光検出装置２０として利用してもよい。
【００２１】
受光ユニット２５は、第１照射ユニット２３および第２照射ユニット２４から照射されて生体（測定部位Ｍ）の内部で反射した光の受光レベルに応じた検出信号を生成する。具体的には、受光ユニット２５は、分光器５１と受光部５３とを具備する。血糖値の測定時に受光経路１３を介して測定部位Ｍに対向するように分光器５１が設置され、分光器５１を挟んで測定部位Ｍとは反対側に受光部５３が設置される。
【００２２】
分光器５１は、到来した光を分光する光学機器である。例えばファブリ・ペロー型干渉計（エタロン）が分光器５１として好適に利用される。生体の内部で反射して受光経路１３から分光器５１の表面に入射した光のうち、近赤外領域の光が分光される。分光器５１により分光された光は受光部５３に入射する。なお、分光器５１は光検出装置２０において必須ではない。
【００２３】
受光部５３は、生体の内部で反射して受光経路１３を通過した光を受光することで、当該受光レベルに応じた検出信号を生成する。第１実施形態の受光部５３は、生体の内部で反射して受光経路１３を通過した光のうち、分光器５１で分光された光を受光する。例えば、フォトダイオード（ＰＤ：Photo Diode）等の光電変換素子が受光部５３として好適に利用される。例えば近赤外領域に高い感度を示すＩｎＧａＡｓ（インジウム・ガリウム・ヒ素）で受光部５３が形成される。なお、光検出装置２０は、例えば、駆動電流の供給により発光部（３１，４１）を駆動する駆動回路と、受光部５３の出力信号を増幅およびＡ/Ｄ変換する出力回路（例えば増幅回路とＡ/Ｄ変換器）を実際には包含するが、図２および図３では各回路の図示を省略した。
【００２４】
図１の特定部７０は、光検出装置２０による光の検出結果から血糖値を特定する。具体的には、特定部７０は、光検出装置２０の受光ユニット２５が生成した検出信号から血糖値を特定する。第１実施形態の特定部７０は、検出信号から吸光スペクトルを生成し、当該吸光スペクトルから血糖値（グルコース濃度）を特定する。吸光スペクトルを利用した血糖値の特定には、例えば重回帰分析法等の公知の技術が任意に利用され得る。ＰＬＳ（Partial Least Squares）回帰分析法および独立成分分析法等が重回帰分析法として例示される。表示部（例えば液晶表示パネル）６０は、特定部７０が特定した血糖値を表示する。
【００２５】
以下、第１発光部３１のフィラメントＦ1と第２発光部４１のフィラメントＦ2との方向について詳述する。フィラメントＦ1とフィラメントＦ2とは、受光経路１３の中心軸Ｃに関して回転対称ではない。第１実施形態では、フィラメントＦ1の中心軸Ｃに対する方向とフィラメントＦ2の中心軸Ｃに対する方向とが互いに異なる。すなわち、フィラメントＦ1の２つの支持部ＦSと、フィラメントＦ2の２つの支持部ＦSとは同一平面にない。フィラメントＦ（Ｆ1，Ｆ2）の２つの支持部ＦSと中心軸Ｃとが同一平面にある場合における発光部の回転角度を０度すると、第１発光部３１と第２発光部４１とでは回転角度が異なるとも換言され得る。図３では、第１発光部３１と第２発光部４１との回転角度は約９０度異なる場合が例示されている。例えば第１発光部３１の回転角度は０度であり、第２発光部４１の回転角度は９０度である。
【００２６】
図５は、光検出装置２０から照射された光の生体表面における強度分布の模式図である。図５には、生体に光が照射される略円形状の範囲（以下「照射範囲」という）Ｒのうち、所定値を上回る強度の光が分布する範囲（以下「強度範囲」という）が、第１照射ユニット２３からの出射光（黒塗り）と第２照射ユニット２４からの出射光（白塗り）とについて示されている。図５から理解される通り、発光部のフィラメントＦの形状に対応した複数の直線状の領域（以下「線領域」という）が強度範囲として生体表面において観測される。各発光部の出射光の強度範囲の方向は、当該発光部の回転角度（すなわち中心軸Ｃに対するフィラメントＦの方向）に応じて異なる。ここで、第１発光部３１と第２発光部４１との回転角度が一致する（すなわちフィラメントＦ1とフィラメントＦ2との中心軸Ｃに対する方向が一致する）構成では、第１発光部３１と第２発光部４１とで強度範囲が一致する。それに対して、第１発光部３１と第２発光部４１とは回転角度が相違（すなわちフィラメントＦ1とフィラメントＦ2との中心軸Ｃに対する方向が相違）する第１実施形態の構成では、第１発光部３１の出射光と第２発光部４１の出射光とで強度範囲の向きが相違する。具体的には、第１発光部３１の強度範囲と第２発光部４１の強度範囲とは、相異なる角度で重なり合う。第１発光部３１と第２発光部４１とは回転角度が約９０度相違するから、第１発光部３１の出射光と第２発光部４１の強度範囲とは、線領域の長手方向が相互に直交する関係にある。
【００２７】
以上の説明から理解される通り、第１実施形態では、第１発光部３１のフィラメントＦ1と第２発光部４１のフィラメントＦ2との中心軸Ｃに対する方向が異なるから、第１発光部３１のフィラメントＦ1と第２発光部４１のフィラメントＦ2との中心軸Ｃに対する方向が同じである構成と比較して、照射範囲Ｒ内において均一に光を照射することができる。ひいては、照射範囲Ｒ内において照射ムラを抑制することができる。また、照射ムラを抑制できる光検出装置２０の検出結果から血糖値が特定されるので、高精度に血糖値を測定することが可能である。
【００２８】
なお、第１発光部３１と第２発光部４１との回転角度の相違は９０度に限定されない。例えば第１発光部３１と第２発光部４１との回転角度の相違が０度に近くても（例えば１〜５度）よい。図６は、回転角度の相違が０度に近い構成について、第１発光部３１と第２発光部４１とから照射された光の照射範囲Ｒにおける強度分布を示す模式図である。図６に例示される通り、第１発光部３１と第２発光部４１との回転角度の相違が０度に近い構成においても、第１発光部３１の出射光と第２発光部４１の強度範囲とは相違するので、照射ムラを抑制することができるという効果は実現される。
【００２９】
＜第２実施形態＞
本発明の第２実施形態を説明する。なお、以下に例示する各形態において作用または機能が第１実施形態と同様である要素については、第１実施形態の説明で使用した符号を流用して各々の詳細な説明を適宜に省略する。
【００３０】
図７は、第２実施形態に係る光検出装置２０の平面図である。第２実施形態の光検出装置２０における第１照射ユニット２３と第２照射ユニット２４とは、第１実施形態と同様に、受光経路１３の中心軸Ｃを挟んで反対側に位置する。ただし、第２実施形態では、第１照射ユニット２３の位置と第２照射ユニット２４の位置と（つまり第１発光部３１の位置と第２発光部４１の位置と）が、受光経路１３の中心軸Ｃに関して回転対称ではない。具体的には、第１発光部３１（例えば第１発光部３１の重心Ｇ）と中心軸Ｃとの距離Ｌ1と、第２発光部４１（例えば第２発光部４１の重心Ｇ）と中心軸Ｃとの距離Ｌ2とが相違する。第２実施形態の各発光部は、第１実施形態と同様に、フィラメントＦを具備する白熱電球である。なお、第２実施形態では、各発光部の回転角度の異同は不問である。
【００３１】
図８は、第２実施形態に係る光検出装置２０からの出射光の照射範囲Ｒにおける強度分布を示す模式図である。各発光部の出射光の強度範囲の位置は、当該発光部と中心軸Ｃとの距離Ｌに応じて異なる。ここで、距離Ｌ1と距離Ｌ2とが一致する構成（すなわち第１発光部３１と第２発光部４１との位置が中心軸Ｃに関して回転対称である構成）では、第１発光部３１と第２発光部４１とで強度範囲が一致する。それに対して、距離Ｌ1と距離Ｌ2とが相違する第２実施形態の構成（すなわち第１発光部３１と第２発光部４１との位置が中心軸Ｃに関して回転対称でない構成）では、第１発光部３１の出射光と第２発光部４１の出射光とで強度範囲の位置が相違する。具体的には、距離Ｌ1と距離Ｌ2とが相違するから、第１発光部３１の出射光と第２発光部４１の強度範囲とは、図８に例示される通り、直線状の各線領域が交互に位置する関係にある。
【００３２】
以上の説明から理解される通り、第２実施形態では、第１発光部３１と第２発光部４１との位置が中心軸Ｃに関して回転対称でないから、第１発光部３１と第２発光部４１とが中心軸Ｃから等距離に位置する構成と比較して、照射範囲Ｒ内において均一に光を照射することができる。ひいては、照射範囲Ｒ内において照射ムラを抑制することができる。また、照射ムラを抑制できる光検出装置２０の検出結果から血糖値が特定されるので、高精度に血糖値を測定することが可能である。
【００３３】
＜第３実施形態＞
図９は、第３実施形態の光検出装置２０の断面図である。第３実施形態では、反射体に対する発光部の位置関係を第１照射ユニット２３と第２照射ユニット２４とで相違させる。
【００３４】
第３実施形態の第１反射体３３は、第１発光部３１からの出射光を生体側に反射する放物面Ｅを有し、第３実施形態の第２反射体４３は、第２発光部４１からの出射光を生体側に反射する放物面Ｅを反射面として有する。具体的には、各反射体の内面が放物面Ｅとして機能する。反射体の内面側に発光部が設置される。放物面Ｅとは、放物線の対称軸を中心としてその放物線を回転させることで形成される曲面である。
【００３５】
第１反射体３３の放物面Ｅの焦点Ｐに対する第１発光部３１の位置と、第２反射体４３の放物面Ｅの焦点Ｐに対する第２発光部４１の位置とは互いに異なる。図９に例示される通り、第１発光部３１（具体的にはフィラメントＦ1）は放物面Ｅの焦点Ｐを挟んで第１レンズ３５とは反対側に位置するのに対して、第２発光部４１（具体的にはフィラメントＦ2）は放物面Ｅの焦点Ｐとレンズとの間に位置する。すなわち、第１発光部３１よりも第２発光部４１の方が測定部位Ｍの表面に近い位置に設置される。
【００３６】
図１０は、第１発光部３１からの出射光の説明図であり、図１１は、第２発光部４１からの出射光の説明図である。なお、各レンズの図示は便宜的に省略する。図１０および図１１には、測定部位Ｍの表面のうち照射範囲Ｒにおける出射光の強度が図示されている。照射範囲Ｒにおける出射光の強度分布は、焦点Ｐに対する発光部の位置に応じて異なる。ここで、第１反射体３３の焦点Ｐに対する第１発光部３１の位置と、第２反射体４３の焦点Ｐに対する第２発光部４１の位置とが一致する構成では、照射範囲Ｒにおける出射光の強度分布は一致する。他方、第１反射体３３の焦点Ｐに対する第１発光部３１の距離と、第２反射体４３の焦点Ｐに対する第２発光部４１の距離とが相違する第３実施形態の構成では、第１発光部３１の出射光と第２発光部４１の出射光とで照射範囲Ｒにおける強度分布が異なる。具体的には、第１発光部３１からの出射光は、照射範囲Ｒの中心部よりも外側において強度が高いのに対して、第２発光部４１からの出射光は、照射範囲Ｒの外側よりも中心部において強度が高い。測定部位Ｍの表面においては、第１発光部３１からの出射光（図１０）と第２発光部４１からの出射光（図１１）とが重なり合う。
【００３７】
以上の説明から理解される通り、第３実施形態では、第１反射体３３の放物面Ｅの焦点Ｐに対する第１発光部３１の位置と第２反射体４３の放物面Ｅの焦点Ｐに対する第２発光部４１の位置が異なる。したがって、第１反射体３３の放物面Ｅの焦点Ｐに対する第１発光部３１の位置と第２反射体４３の放物面Ｅの焦点Ｐに対する第２発光部４１の位置が同じである構成と比較して、照射範囲Ｒ内において均一に光を照射することができる。ひいては、照射範囲Ｒ内において照射ムラを抑制することができる。また、照射ムラを抑制できる光検出装置２０の検出結果から血糖値が特定されるので、高精度に血糖値を測定することが可能である。なお、第１実施形態から第３実施形態の構成は任意に組み合わせることが可能である。
【００３８】
＜変形例＞
以上に例示した各形態は多様に変形され得る。具体的な変形の態様を以下に例示する。以下の例示から任意に選択された２以上の態様を適宜に併合することも可能である。
【００３９】
（１）第１実施形態では、第１発光部３１のフィラメントＦ1と第２発光部４１のフィラメントＦ2とが中心軸Ｃに関して回転対称ではない構成（すなわち第１発光部３１と第２発光部４１との回転角度が相違する構成）を例示し、第２実施形態および第３実施形態では、第１発光部３１と第２発光部４１との位置が中心軸Ｃに関して回転対称ではない構成を例示した。すなわち、前述の各形態では、第１照射ユニット２３の第１発光部３１と第２照射ユニット２４の第２発光部４１とが中心軸Ｃに関して回転対称ではない構成を採用した。以上の構成に代えて（または以上の構成とともに）、第１照射ユニット２３の第１光学系Ｋ1（第１反射体３３および第１レンズ３５）の構造と第２照射ユニット２４の第２光学系Ｋ2（第２反射体４３および第２レンズ４５）の構造とが中心軸Ｃに関して回転対称でない構成も採用され得る。例えば、第１レンズ３５の形状と第２レンズ４５の形状とが互いに異なる構成も採用され得る。また、第１反射体３３と第２反射体４３との間で反射面（例えば放物面Ｅ）の形状が異なる構成も採用され得る。具体的には、第１反射体３３と第２反射体４３との間で放物面Ｅの深さまたは直径等の寸法を異ならせてもよい。または、第１反射体の反射面の形状を放物面、球体または多面体の内面の一部とし、第２反射体の形状をそれとは異なる形状としてもよい。なお、第１レンズ３５の屈折率と第２レンズ４５の屈折率とを相違させてもよいし、第１発光部３１のフィラメントＦ1と第２発光部４１のフィラメントＦ2との形状を相違させてもよい。以上の説明から理解される通り、第１照明ユニットの構造と第２照明ユニットの構造とが中心軸Ｃに関して回転対称ではなく、照射範囲Ｒにおいて照射ムラを抑制することができる構成であれば、第１照明ユニットと第２照明ユニットとの構造は任意である。第１照明ユニットと第２照明ユニットとの構造が中心軸Ｃに関して回転対称ではない構成によれば、第１照明ユニットと第２照明ユニットの構造が中心軸Ｃに関して回転対称である構成と比較して、生体に光が照射される範囲内において照射ムラを抑制することができるという効果が実現される。
【００４０】
（２）前述の各形態では、白熱電球を発光部（３１，４１）として例示したが、発光部の種類は以上の例示に限定されない。例えばＬＥＤ（Light Emitting Diode）等の発光素子を発光部として使用してもよい。
【００４１】
（３）前述の各形態では、各光学系は反射体とレンズとを具備したが、光学系を構成する要素は任意である。例えば反射体とレンズ以外に、特定の波長の光を透過させる光学フィルターを具備してもよい。発光部からの出射光を生体に導く要素を包括的に光学系と表現する。
【００４２】
（４）前述の形態では、生体情報として血糖値を特定したが、特定する生体情報の種類は以上の例示に限定されない。例えば、ヘモグロビン濃度，血中酸素濃度，中性脂肪濃度等の各種の血液成分濃度を生体情報として特定してもよい。
【００４３】
（５）前述の形態では、受光ユニット２５が分光器５１と受光部５３とを含んだが、各照射ユニット（２３，２４）から出射して測定部位Ｍの内部を通過した光の受光レベルに応じた検出信号を生成することができれば受光ユニット２５の構成は任意である。例えば受光ユニット２５が受光部５３のみを含む構成、または、分光器５１にファブリ・ペロー型干渉計を利用した場合には受光ユニット２５が分光器５１と受光部５３との間にバンドパスフィルターを具備する構成も採用され得る。
【００４４】
（６）前述の形態では、生体解析装置１が表示部９０を具備したが、生体解析装置１と通信可能（有線／無線）な端末装置に表示部９０を設けることも可能である。生体解析装置１は特定した血糖値を端末装置に送信して、当該端末装置が血糖値を表示する。つまり、生体解析装置１において表示部９０は必須ではない。
【００４５】
（７）特定部７０および表示部９０のうち一方または双方を端末装置に設けた構成（例えば端末装置で実行されるアプリケーションで実現される構成）であってもよい。つまり、生体解析装置１は、相互に別体で構成された複数の装置でも実現される。
【符号の説明】
【００４６】
１…生体解析装置、２０…光検出装置、７０…特定部、９０…表示部、２１…筐体、２３…第１照射ユニット、２４…第２照射ユニット、２５…受光ユニット、２７…保護部、３１…第１発光部、３３…第１反射体、３５…第１レンズ、４１…第２発光部、４３…第２反射体、４５…第２レンズ、５１…分光器、５３…受光部、Ｋ1…第１光学系、Ｋ2…第２光学系、Ｆ1…第１発光部のフィラメント、Ｆ2…第２発光部のフィラメント、ＦC…コイル部、ＦS…支持部。
【図１】
2019055007.tif 000003
【図２】
2019055007.tif 000004
【図３】
2019055007.tif 000005
【図４】
2019055007.tif 000006
【図５】
2019055007.tif 000007
【図６】
2019055007.tif 000008
【図７】
2019055007.tif 000009
【図８】
2019055007.tif 000010
【図９】
2019055007.tif 000011
【図１０】
2019055007.tif 000012
【図１１】
2019055007.tif 000013